(57)【要約】【課題】  リアルタイムに近い間隔で演算される流体シミュレーション機能を追加することによって、水の流れ・混合のより詳細な情報が得られ、監視制御の精度や訓練装置の機能を向上できるプラント情報提供システム、監視制御訓練装置、およびプラント情報提供方法を提供する。【解決手段】  情報収集機能１０４から得られる情報を所定の間隔で情報蓄積機能１０５に記憶し、流体解析に必要な所定の条件情報を条件保持機能１０９に記憶し、条件情報に従って、流体解析に必要な境界条件情報を作成し、解析機能１０９によって流体諸量を演算し、可視化機能１１２によって可視化情報に変換し、表示する。【選択図】      図１
2007048144.tif 000002
【特許請求の範囲】
【請求項１】
プラントに設置された情報収集手段によって収集された情報に基づいて監視制御を行う監視制御装置を備えたプラント情報提供システムであって、
前記情報収集手段から得られる情報を所定の間隔で記憶する情報記憶手段と、
流体解析に必要な所定の条件情報を記憶する条件情報記憶手段と、
前記情報蓄積手段に記憶されている情報および前記条件情報記憶手段に記憶されている条件情報を読み出し、前記条件情報に従って、流体解析に必要な境界条件情報を作成する条件情報作成手段と、
前記条件情報作成手段および前記条件情報記憶手段に記憶された情報を読み出し、読み出された情報から流体諸量を演算する演算手段と、
前記演算手段によって演算された演算結果を記憶する演算結果記憶手段と、
前記演算結果記憶手段によって演算された情報を表示する表示手段と、
を具備することを特徴とするプラント情報提供システム。
【請求項２】
前記演算結果記憶手段に記憶された演算結果を読み出して、可視化情報に変換する可視化手段をさらに具備することを特徴とする請求項１に記載のプラント情報提供システム。
【請求項３】
前記情報収集手段によって、所定の間隔で情報収集を行い、前記演算手段によって所定の間隔で流体解析を行うことを特徴とする請求項１に記載のプラント情報提供システム。
【請求項４】
前記条件情報記憶手段は、前記流体解析に必要な所定の情報をとされる所定の計算式、計算領域情報、及びその他流体解析に必要な情報を記憶することを特徴とする請求項１に記載のプラント情報提供システム。
【請求項５】
前記表示手段は、流体諸量を多次元的に表示するとともに、前記情報収集手段の計測値と所望の位置での流体解析値とを比較表示することを特徴とする請求項１に記載のプラント情報提供システム。
【請求項６】
前記情報収集手段から得られる情報を所定の間隔で前記情報記憶手段に記憶する場合、前記演算手段の演算能力に応じて、前記所定の間隔で演算結果を算出できる程度の精度で流体解析を行うことを特徴とする請求項１に記載のプラント情報提供システム。
【請求項７】
プラントの監視制御を行うオフラインで使用可能な監視制御訓練装置であって、
流体解析に必要な所定の条件情報を記憶する条件情報記憶手段と、
前記プラントの事故情報を模擬するシナリオ情報が時系列情報として記憶するシナリオ情報記憶手段と、
前記情報蓄積手段に記憶されている情報および前記条件情報記憶手段に記憶されている条件情報を読み出し、前記条件情報に従って、流体解析に必要な境界条件情報を作成する条件情報作成手段と、
前記条件情報作成手段および前記条件情報記憶手段に記憶された情報を読み出し、読み出された情報から流体諸量を演算する演算手段と、
前記演算手段によって演算された演算結果を記憶する演算結果記憶手段と、
を具備することを特徴とする監視制御訓練装置。
【請求項８】
前記演算結果記憶手段に記憶された演算結果を読み出して、可視化情報に変換する可視化手段をさらに具備することを特徴とする請求項７に記載の監視制御訓練装置。
【請求項９】
プラントの挙動を模擬するための簡易計算を行う簡易シミュレータをさらに具備し、
前記プラント内の流体挙動を解析する場合、所定のプロセス毎に簡易計算を行う処理と、多次元の流体解析を行う処理とに分類して解析することを特徴とする請求項７に記載の監視制御訓練装置。
【請求項１０】
プラントに設置された情報収集手段から得られる情報を所定の間隔で情報記憶手段に記憶する情報記憶ステップと、
流体解析に必要な所定の条件情報を条件情報記憶手段に記憶する条件情報記憶ステップと、
前記情報蓄積手段に記憶されている情報および前記条件情報記憶手段に記憶されている条件情報を読み出し、前記条件情報に従って、流体解析に必要な境界条件情報を作成する条件情報作成ステップと、
前記条件情報作成手段および前記条件情報記憶手段に記憶された情報を読み出し、読み出された情報から流体諸量を演算する演算ステップと、
前記演算ステップによって演算された演算結果を演算結果記憶手段に記憶する演算結果記憶ステップと、
を含むことを特徴とするプラント情報提供方法。
【発明の詳細な説明】
【技術分野】
【０００１】
本発明は、本発明は上水プラントのプラント情報提供システム、監視制御訓練装置、およびプラント情報提供方法に関する。
【背景技術】
【０００２】
従来の上水プラントの監視制御システムでは、水の流れ・混合を定常・完全混合を仮定したモデルで予測している。また、センサの位置に関する厳密な検討はなく、例えば池に設置された複数のポンプから吐出する残塩濃度は検水点位置で得られた濃度と等しいという仮定で監視制御が行われている（特許文献１参照）。
【特許文献１】特開平１１-０６１８９３。
【発明の開示】
【発明が解決しようとする課題】
【０００３】
しかし、上述した従来の技術、すなわち、定常・完全混合流れを仮定した監視制御システムでは、池や水槽内の流れの状態を考慮することができない。そのため、例えば検水点が死水域にあった場合、その検水点から得られる誤った情報を基に監視制御を行うこととなる。
【０００４】
本発明は以上のような点に鑑みてなされたものであり、その目的は、リアルタイムに近い間隔で演算される流体シミュレーション機能を追加することによって、水の流れ・混合のより詳細な情報が得られ、監視制御の精度や訓練装置の機能を向上できるプラント情報提供システム、監視制御訓練装置、およびプラント情報提供方法を提供することにある。
【課題を解決するための手段】
【０００５】
本発明は、上記課題を解決するため、プラントに設置された情報収集手段によって収集された情報に基づいて監視制御を行う監視制御装置を備えたプラント情報提供システムであって、前記情報収集手段から得られる情報を所定の間隔で記憶する情報記憶手段と、流体解析に必要な所定の条件情報を記憶する条件情報記憶手段と、前記情報蓄積手段に記憶されている情報および前記条件情報記憶手段に記憶されている条件情報を読み出し、前記条件情報に従って、流体解析に必要な境界条件情報を作成する条件情報作成手段と、前記条件情報作成手段および前記条件情報記憶手段に記憶された情報を読み出し、読み出された情報から流体諸量を演算する演算手段と、前記演算手段によって演算された演算結果を記憶する演算結果記憶手段と、前記演算結果記憶手段に記憶された演算結果を読み出して、表示する表示手段とを具備することを特徴とする
このため、リアルタイムに近い間隔で演算される流体シミュレーション機能を追加することによって、水の流れ・混合のより詳細な情報が得られ、監視制御の精度や訓練装置の機能を向上できる。
【発明の効果】
【０００６】
本発明によれば、リアルタイムに近い間隔で演算される流体シミュレーション機能を追加することによって、水の流れ・混合のより詳細な情報が得られ、監視制御の精度や訓練装置の機能が向上するプラント情報提供システム、監視制御訓練装置、およびプラント情報提供方法を提供できる。
【発明を実施するための最良の形態】
【０００７】
（第１実施形態）
以下図面を参照して、本発明の第１実施形態について説明する。
【０００８】
図１は、本発明の第１実施形態に係るプラント情報提供システムを示した構成図である。
【０００９】
プラント情報提供システムは、例えば上水プラント１０２の監視制御等を行う監視制御装置１０１、上水プラント１０２に設置され、上水プラント１０２の各種情報を収集する情報収集機能１０４、および監視制御装置１０１からの制御指令に従って上水プラント１０２を制御する制御機能１０３を備えている。
【００１０】
監視制御装置１０１は、以下のように構成される。
【００１１】
すなわち、制御機能１０３で制御される上水プラント１０２に設置されたセンサ等からなる情報収集機能１０４からのデータを蓄積する情報蓄積機能１０５と、予め流体解析に必要とされる各種の化学反応式や保存式、計算領域情報等の情報を保持する条件保持機能１０９と、情報収集機能１０４又は情報蓄積機能１０５及び条件保持機能１０９からのデータを入力とし、流体解析に必要な境界条件を作成する条件作成機能１０８と、条件作成機能１０８および条件保持機能１０９のデータから流体諸量を演算する解析機能１１０と、解析機能１１０の解析結果を蓄積する解析結果蓄積機能１１１と、解析結果を可視化する可視化機能１１２とからなる流体解析機能１０７と、可視化された情報をオペレータに表示するオペレータインターフェース１０６から構成される。
【００１２】
次に、本発明の第１実施形態に係るプラント情報提供システムを適用したプラント情報提供方法について図１、および図２のフローチャートを参照して説明する。
【００１３】
なお、制御機能１０３、情報収集機能１０４、情報蓄積機能１０５、およびオペレータインターフェース１０６は、従来のシステムと同様の機能であり、流体解析機能１０７内の機能が本発明で追加される機能である。
【００１４】
監視制御装置１０１によって、条件保持機能１０９に、条件情報を登録する（図２のステップＳ１）。
【００１５】
登録される条件情報は、プラント全体または対象とする池の形状等の計算領域の情報、解析格子の情報、保存式(質量保存、運動量保存、エネルギー保存)、化学反応式等、固定的な条件情報が登録、記憶される。なお、条件情報の登録処理は、オペレータインターフェース１０６からも可能である。
【００１６】
また、流量、流速、水位、水温、濃度等の情報は、各種センサ、コントローラ、イーサネット（登録商標）等から構成される情報収集機能１０４で収集され、情報蓄積機能１０５に蓄積される。
【００１７】
次に、条件作成機能１０８は、情報蓄積機能１０５から解析条件を読み出し、解析条件の入力が行われる（図２のステップＳ２）。なお、オペレータインターフェース１０６により、解析条件の入力が行われてもよい。
【００１８】
解析条件の入力の後、リアルタイムの解析を行うか、情報蓄積機能１０５に保持された過去のデータを用いる詳細な解析を行うかの解析の目的が選択される（図２のステップＳ３）。
【００１９】
ステップＳ３で、解析の目的として、リアルタイムの解析が選択された場合は、情報収集機能１０４によって、上水プラントの各種情報が収集される（図２のステップＳ４）。
【００２０】
収集された上水プラントの各種情報は、情報蓄積機能１０５に保存、蓄積される（図２のステップＳ５）。
【００２１】
次に、条件作成機能１０８は、情報蓄積機能１０５から境界条件の作成に必要な時系列情報を探索・抽出する。この場合、情報収集機能１０４が情報蓄積機能１０５に送信するデータを条件作成機能１０８が都度同報として受け取ることも可能である。
【００２２】
条件作成機能１０８は、受け取ったデータを基に時系列の境界条件を作成する（図２のステップＳ６）。具体的には、例えば、上水プラントである上水池の流入口における流速が情報収集機能１０４から得られた場合、条件保持機能１０９に記憶されている流入口の口径の数値に基づいて流量を計算する。
【００２３】
解析機能１１０は、オペレータインターフェース１０６から選択された解析の目的（リアルタイム解析モード、詳細計算モード、表示モード等）および条件作成機能１０８で作成された条件情報、条件保持機能１０９のデータを基に流体解析（後述）を行う（図２のステップＳ７）。
【００２４】
解析機能１１０は、流体解析の結果データを可視化機能１１２に渡すと共に、解析結果蓄積機能１１１に情報を保存、蓄積させる（図２のステップＳ８）。
【００２５】
可視化機能１１２は、蓄積された流体解析の結果データに基づいて、可視可処理を行う（図２のステップＳ９）。
【００２６】
可視可処理が行われると、結果データをディスプレイ等に表示を行う（図２のステップＳ１０）。
【００２７】
以上のように、解析の目的としてリアルタイム解析モードが選択された場合は、解析機能１１０は、リアルタイムに結果が出力できる精度の演算方法・刻み幅で解析を行う。なお、ここで、リアルタイムとは、例えば、１分毎や５分毎の短い時間ごとに常に解析を行う状態ことをいうものとする。
【００２８】
一方、ステップＳ３で、解析の目的として、詳細計算モードが選択された場合は、解析機能１１０は、情報蓄積機能１０５に保持された過去のデータの該当情報の情報探索を行い（図２のステップＳ３−２）、ステップＳ６に遷移する。
【００２９】
ステップＳ６以降は、上述した処理を行い、リアルタイムの演算よりも高い精度の演算手法・刻み幅（所定の時間間隔）で演算を行う。
【００３０】
また、ステップＳ３で、表示モードが選択された場合は（図２のステップＳ３−１）、ステップＳ９に遷移し、ステップＳ９以降の処理は、前述と同様となる。
【００３１】
次に、境界条件作成処理（図２のステップＳ６）および流体解析処理（図２のステップＳ７）の作用を具体的に示す。
【００３２】
まず、ステップＳ６の境界条件作成処理では、例えば２次元比圧縮性粘性流体の解析の方法として流れ関数−渦度法を用いるとすると、境界条件は以下にようになる。
【数１】
2007048144.tif 000003
【００３３】
【数２】
2007048144.tif 000004
【００３４】
【数３】
2007048144.tif 000005
【００３５】
【数４】
2007048144.tif 000006
【００３６】
【数５】
2007048144.tif 000007
【００３７】
【数６】
2007048144.tif 000008
【００３８】
【数７】
2007048144.tif 000009
【００３９】
【数８】
2007048144.tif 000010
【００４０】
【数９】
2007048144.tif 000011
【００４１】
ただし流れ関数はψ、渦度はωとし、添え字i,jは図３のように仮定する。
【００４２】
図３は、空間に関する添え字の取り方を示した模式図である。
【００４３】
次に、解析（図２のステップＳ７）では、例えば、式４−３１、式４−３２のような基礎方程式を離散化した以下の式を解く。
【数１０】
2007048144.tif 000012
【００４４】
【数１１】
2007048144.tif 000013
【００４５】
Ｓ３でリアルタイム計算が選択された場合には、式４−３５、式４−３６のΔｔ、Δｘ、Δｙを計算機の性能によりリアルタイムで解が収束する程度に大きくとって計算する。
【数１２】
2007048144.tif 000014
【００４６】
【数１３】
2007048144.tif 000015
【００４７】
また、Ｓ３で詳細計算が選択された場合には、式４−３５、式４−３６のΔｔ、Δｘ、Δｙを小さくし、計算精度を高くすることが可能である。
【００４８】
次に、可視化処理（図２のステップＳ９）について、以下に説明する。
【００４９】
可視化機能１１２は、実際の流体挙動よりも演算に時間がかかる可能性があるため解析結果蓄積機能１１１からのデータを基に可視化を行い、オペレータインターフェース１０６に表示を行う。
【００５０】
図４は、上水池を１０＊２０の解析格子に分割し、時間毎にプラントを模擬する多次元形式での表示を行った場合の模式図である。
【００５１】
解析格子数からそれぞれの解析格子に割り付けられる流量を算出すると、上水池の取水口１８から水が流れていき、右側に大きくうねりながら、排水ポンプ１０、１２、１４、１６のうちの排水ポンプ１０から排水されている状態を可視的に把握することができる。
【００５２】
図５は、実際に計測される値と所望の場所での解析値を時系列に沿って示した図である。
【００５３】
可視化の表示の形式には、例えば、上述した図４に示すように、時間毎にプラントを模擬する多次元形式での表示を行う場合と、図５に示すように実際に計測される値と、所望の場所での解析値を時系列に沿ってグラフ等で併記する場合とが考えられる。これらの表示の組合せはオペレータインターフェース１０６からの選択によって流速、流向、水質等から様々に可能である。
【００５４】
以上より、リアルタイムに近い間隔で演算される流体シミュレーション機能を追加することによって、上水プラントでの水の流れ・混合のより詳細な情報が得られ、監視制御の精度や訓練装置の機能を向上できる。
【００５５】
また、監視制御システムで常に流体挙動を多次元的に把握することができるため、死水域のデータを制御に用いるといったような誤りを回避できる。死水域ではない場合にも、上水プロセスのセンサ位置は様々な制約によって監視制御で必要とされる位置とは異なる場合があるが、本提案によれば所望の位置における物理量が算出されるため、算出された値を用いてより正確な監視制御が可能となる。また、流体解析では全てのセンサの情報が解析条件として使用される必要はないため、解析に使用しないセンサのデータと解析計算で求められた値を比較して、大きく異なる場合にはどちらかに故障があることがわかる。
【００５６】
（第２実施形態）
図６は、本発明の第２実施形態に係るプラント情報提供システムを適用した監視制御訓練装置を示した構成図である。なお、第１実施形態と同様の構成には同じ符号を付し、詳細な説明を前述に譲る。
【００５７】
第２実施形態の第１実施形態との相違点は、上水プラントからの情報をリアルタイムで取得するものではなく、オフラインとしている点である。このように、オフラインとすることで、監視制御訓練装置２０１として利用する。
【００５８】
すなわち、第１実施形態の構成から制御機能１０３と、プラント１０２と、情報収集機能１０４と、情報蓄積機能１０５を除き、オペレータが条件を設定する条件設定機能２０２と、それらの設定条件を蓄積する設定情報蓄積機能２０３と、事故情報を模擬するシナリオが設定されたシナリオ設定機能２０４とを加えた構成となっている。
【００５９】
次に、第２実施形態の動作について、図７のフローチャートを参照して説明する。
【００６０】
当該第２実施形態は、オペレータの監視制御訓練装置２０１であり、第１実施形態の流体解析機能を上水プラントシミュレータとして利用する。
【００６１】
条件保持機能１０９は、シナリオ選択・条件設定画面表示が行われると、第１実施形態と同様に固定的な情報が予め登録、記憶する（図７のステップＳ２０）。また、オペレータインターフェース１０６からポンプの稼働台数や弁の開度等のプラント制御に必要な情報が条件設定機能２０２に設定される。設定された条件は、設定情報蓄積機能２０３に蓄積される。
【００６２】
次に、入力画面等からシナリオが選択され（図７のステップＳ２１）、条件が入力される（図７のステップＳ２２）。
【００６３】
そして、訓練モード、詳細計算モード、表示モードのいずれかの選択が行われる（図７のステップＳ２３）。
【００６４】
ステップＳ２３で、訓練モード、詳細計算モード、表示モードのうち、訓練モードが選択されると、第１実施形態と同様の処理を行う（図７のステップＳ２４〜ステップＳ３０）。
【００６５】
すなわち、訓練のためのシミュレーション命令を受けると、条件作成機能１０８は、境界条件作成に必要な情報を条件設定機能２０２及び条件保持機能１０９から一定の時間間隔で探索・抽出し、それらの情報を基に境界条件を作成する。解析機能１１０は、条件保持機能１０９及び条件作成機能１０８のデータを基に実際の物理挙動を模擬する時間進行で流体解析を行う。解析結果は解析結果蓄積機能１１１に蓄積されると共に、可視化機能１１２によって可視化され、オペレータインターフェース１０６に都度表示される。
【００６６】
条件設定機能２０２の情報は、条件作成機能１０８から一定のきわめて短い時間間隔で抽出されるため、作成機能１０８ではオペレータインターフェース１０６から条件の変更が行われると、すぐに変更後の条件に沿った境界条件が作成され、上水プラント挙動が模擬される。また、シナリオ設定機能２０４にはポンプの故障停止等の事故を模擬するシナリオが時系列データとして予め設定されている。
【００６７】
このシナリオはオペレータの指導員が前もってオペレータインターフェースから設定することができる。オペレータ訓練員は用意されたシナリオに対するプラント挙動を制御するため、オペレータインターフェース１０６から条件設定を変更すると、上記のように変更された条件は条件作成機能１０８によって即時に抽出されプラント挙動が模擬される。
【００６８】
このようにシナリオ設定機能を用いる制御を繰り返すことによってオペレータ訓練員は様々な状況への対応を訓練することができる。
【００６９】
また、第２実施形態は、第１実施形態と同様に、ステップＳ２３において、過去の解析結果の参照（表示モードのうちステップＳ２３−１）や、詳細計算モード（ステップＳ２３−２）を選択することができる。
【００７０】
以上より、オペレータ訓練員は流体解析機能をプラントシミュレータとして利用することによって定常・完全混合のプラントシミュレータよりも詳細に模擬されたプラントの挙動を把握しながら監視制御の訓練を行うことができる。
【００７１】
（第３実施形態）
図８は、本発明の第３実施形態に係るプラント情報提供システムを適用した監視制御訓練装置を示した構成図である。なお、第２実施形態と同様の構成には同じ符号を付し、詳細な説明を前述に譲る。
【００７２】
第３実施形態は、第２実施形態の構成に定常・完全混合を仮定した簡易シミュレータ３０１と、簡易シミュレータの計算結果を蓄積する計算結果蓄積機能３０２と、計算結果をグラフ化する可視化機能３０３を加えた構成となっている。
【００７３】
また、監視制御訓練装置の導入時には全てのプロセスに対して２次元・３次元の流体解析を行うことは困難である。そのため、流体解析機能１０７と簡易的な計算を行う簡易シミュレータ３０１とを組合せ、プロセス毎に流体解析を行うプロセスと簡易計算を行うプロセスとに分けて、必要なプロセスから徐々に流体解析機能を導入することが考えられる。なお、ここでの簡易シミュレータとは、一次元・定常・完全混合を仮定したモデルで計算されるものである。
【００７４】
次に、第３実施形態の動作について、図９のフローチャートを参照して説明する。
【００７５】
ステップＳ４０〜ステップＳ２４までは、前述した第２実施形態のステップＳ２０〜ステップＳ２２までと同様である。
【００７６】
複数のプロセス行う場合、例えば、上流のプロセス１が簡易計算を行うプロセス、下流のプロセス２が流体解析を行うプロセスであるとする（図９のステップＳ４３）。
【００７７】
以上の場合において、簡易シミュレータ３０１は、訓練モード、詳細計算モードおよび表示モードのいずれかが選択される（図９のステップＳ４４）。
【００７８】
ステップＳ４４で、訓練モードが選択された場合は、液体解析モードか簡易計算モードを選択する（図９のステップＳ４５）。
【００７９】
ステップＳ４５で、液体解析モードが選択されると（下流のプロセス２）、ステップＳ４６に遷移する。ステップＳ４６〜ステップＳ５２までの処理は、第２実施形態である図７のステップＳ２４〜ステップＳ２９までの処理と同様である。
【００８０】
すなわち、条件設定機能２０２または設定情報蓄積機能２０３内のデータに基づいて、上流側のプロセス１の物理諸量を一定の時間間隔で計算する。計算結果は、計算結果蓄積機能３０２に保存されると共に、可視化機能３０３で可視化されオペレータインターフェース１０６に都度表示される。
【００８１】
一方、ステップＳ４５で、簡易計算モードが選択されると（上流のプロセス１）、計算結果蓄積機能３０２に保存されたデータの内、下流側のプロセス２の解析に必要な情報は条件設定機能２０２によって一定の時間間隔で抽出される（図９のステップＳ４５−１）。
【００８２】
抽出された情報は、設定情報蓄積機能２０３に保存される（図９のステップＳ４５−２）。そして設定情報蓄積機能２０３には必要なデータが蓄積されるため、プラント２の解析計算は、第２実施形態と同様に行う（図９のステップＳ４５−３）。なお、上流が解析計算、下流が簡易計算の場合も同様の方法で可能である。
【００８３】
訓練の方法は、第２実施形態と同様である。そして、解析結果データは、解析結果蓄積機能１１１に保存される（図９のステップＳ４５−４）。
【００８４】
また、第３実施形態は、第１実施形態と同様に、ステップＳ４４において、過去の解析結果の検索、参照（ステップＳ４４−１）や、詳細計算モード（ステップＳ４４−２）を選択することができる。
【００８５】
以上より、プラントの監視制御訓練装置において、導入時には全てのプロセスに対して多次元の流体解析を行うことは困難である。本提案によれば、流体解析機能と簡易計算を行うプラントシミュレータとを組合わせ、プラント毎に流体解析を行うプロセスと簡易計算を行うプロセスに分けることで、重要なプロセスから徐々に流体解析機能を導入することができる。
【００８６】
また、図１０に示したように、その他の実施形態として、解析結果蓄積機能１１１のデータを制御機能１０３に渡す機能を追加した構成が考えられる。当該実施形態では、情報収集機能１０４であるセンサの計測位置が制御に対して望ましい位置と異なる場合に、解析機能１１０によって、所定の間隔でリアルタイムに算出された解析値を使用して、より詳細な制御を行うことができるものである。
【００８７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００８８】
【図１】本発明の第１実施形態に係るプラント情報提供システムを示した構成図。
【図２】本発明の第１実施形態に係るプラント情報提供システムを適用したプラント情報提供方法について説明したフローチャート。
【図３】本発明の第１実施形態に係る空間に関する添え字の取り方を示した模式図。
【図４】第１実施形態に係る上水池を１０＊２０の解析格子に分割し、流体解析を行った場合の模式図。
【図５】本発明の第１実施形態に係る実際に計測される値と所望の場所での解析値を時系列に沿って示した図。
【図６】本発明の第２実施形態に係るプラント情報提供システムを示した構成図
【図７】本発明の第２実施形態に係るプラント情報提供システムを適用したプラント情報提供方法について説明したフローチャート。
【図８】本発明の第３実施形態に係るプラント情報提供システムを示した構成図。
【図９】本発明の第３実施形態に係るプラント情報提供システムを適用したプラント情報提供方法について説明したフローチャート。
【図１０】その他の実施形態係るプラント情報提供システムを示した構成図。
【符号の説明】
【００８９】
１０…排水ポンプ、１８…取水口、１０１…監視制御装置、１０２…上水プラント、１０３…制御機能、１０４…情報収集機能、１０５…情報蓄積機能、１０６…オペレータインターフェース、１０７…流体解析機能、１０８…条件作成機能、１０９…条件保持機能、１１０…解析機能、１１１…解析結果蓄積機能、１１２…可視化機能、２０１…監視制御訓練装置、２０２…条件設定機能、２０３…設定情報蓄積機能、２０４…シナリオ設定機能。
【図１】
2007048144.tif 000016
【図２】
2007048144.tif 000017
【図３】
2007048144.tif 000018
【図４】
2007048144.tif 000019
【図５】
2007048144.tif 000020
【図６】
2007048144.tif 000021
【図７】
2007048144.tif 000022
【図８】
2007048144.tif 000023
【図９】
2007048144.tif 000024
【図１０】
2007048144.tif 000025